(57)【要約】【課題】眼鏡のつる孔の構成によって眼鏡のつるを外部に取り出し、眼鏡レンズのみをケースの内部に収納することで、薄型の形状を具現し、衣服のポケットへの携帯を便利にしたレンズ保護用薄型の眼鏡レンズケースを提供する。【解決手段】レンズＬが挟め込まれたレンズフレーム１２と、回動部１１ａ及び固定部１１ｂからなる眼鏡のつる１１と、鼻掛け１３とを含んで構成される眼鏡１０を保管するための眼鏡ケースにおいて、外周１１０ａの左右側に溝状に形成された一対の下部眼鏡のつる半孔１１１と、底面１１０ｂ'の縁部に沿って所定の厚さで前記底面１１０ｂ'に備わり、クッションを有している下部クッション突起縁１１４と、前記外周１１０ａの後側に一体に形成された下部ヒンジ１１５とを含んで構成される下部ケース１１０、前記下部眼鏡のつる半孔１１１と対応する位置の外周１２０ａに溝状に形成された一対の上部眼鏡のつる半孔１２１と、底面１２０ｂ'の縁部に沿って所定の厚さで前記底面１２０ｂ'に備わり、クッションを有している上部クッション突起縁１２４と、前記外周１２０ａの後側に一体に形成された上部ヒンジ１２５と、前記鼻掛け１３が定着される空間である鼻掛け定着部１２０ｂ''とを含んで構成される上部ケース１２０、及び前記上部ヒンジ１２５と下部ヒンジ１１５をヒンジ結合するヒンジ軸１３５を含んでレンズ保護用薄型の眼鏡レンズケースを構成する。【選択図】図２
2009528123.tif 000002
【特許請求の範囲】
【請求項１】
レンズ（Ｌ）が挟め込まれたレンズフレーム（１２）と、回動部（１１ａ）及び固定部（１１ｂ）からなる眼鏡のつる（１１）と、鼻掛け（１３）とを含んで構成される眼鏡（１０）を保管するための眼鏡ケースにおいて、
外周（１１０ａ）の左右側に溝状に形成された一対の下部眼鏡のつる半孔（１１１）と、底面（１１０ｂ'）の縁部に沿って所定の厚さで前記底面（１１０ｂ'）に備わり、クッションを有している下部クッション突起縁（１１４）と、前記外周（１１０ａ）の後側に一体に形成された下部ヒンジ（１１５）とを含んで構成される下部ケース（１１０）；
前記下部眼鏡のつる半孔（１１１）と対応する位置の外周（１２０ａ）に溝状に形成された一対の上部眼鏡のつる半孔（１２１）と、底面（１２０ｂ'）の縁部に沿って所定の厚さで前記底面（１２０ｂ'）に備わり、クッションを有している上部クッション突起縁（１２４）と、前記外周（１２０ａ）の後側に一体に形成された上部ヒンジ（１２５）と、前記鼻掛け（１３）が定着される空間である鼻掛け定着部（１２０ｂ''）とを含んで構成される上部ケース（１２０）；及び、
前記上部ヒンジ（１２５）と下部ヒンジ（１１５）をヒンジ結合するヒンジ軸（１３５）を含んで構成されており、
上部ケース（１２０）が前記下部ケース（１１０）によって閉鎖される場合、前記下部眼鏡のつる半孔（１１１）と上部眼鏡のつる半孔（１２１）が形成する眼鏡のつる孔（１０１）を通して前記眼鏡のつる（１１）が眼鏡ケースの外部に置かれ、
上部ケース（１２０）が前記下部ケース（１１０）によって閉鎖される場合、前記レンズ（Ｌ）の前記底面（１１０ｂ'，１２０ｂ'）への接触を防止するように前記レンズフレーム（１２）を前記底面（１１０ｂ'，１２０ｂ'）の間に挟んでホールディングするために、前記下部クッション突起縁（１１４）と上部クッション突起縁（１２４）が相互対応した形態で噛み合っていることを特徴とするレンズ保護用薄型の眼鏡レンズケース。
【請求項２】
前記外周（１１０ａ）の前側中央には、湾曲状を有する湾曲部（１１０ａ'）が形成されており、
前記湾曲部（１１０ａ'）にフック締結するためのフック（１２６）が前記外周（１２０ａ）の前側に前記外周（１２０ａ）と一体に形成されていることを特徴とする請求項１に記載のレンズ保護用薄型の眼鏡レンズケース。
【請求項３】
外側に力を容易に作用するために外側に傾斜して折り曲がっている折曲部（１２６ａ）は、前記フック（１２６）の端部に形成されていることを特徴とする請求項２に記載のレンズ保護用薄型の眼鏡レンズケース。
【請求項４】
前記下部眼鏡のつる半孔（１１１）及び上部眼鏡のつる半孔（１２１）にそれぞれ嵌め込まれて締結され、弾性を有している下部パッキング（１１２）及び上部パッキング（１２２）がさらに含まれて構成されることを特徴とする請求項３に記載のレンズ保護用薄型の眼鏡レンズケース。
【請求項５】
外部の埃などの異物質流入を遮断するために、前記下部パッキング（１１２）及び上部パッキング（１２２）にはそれぞれ付着される下部シーリング部材（１１３）及び上部シーリング部材（１２３）がさらに含まれて構成されることを特徴とする請求項４に記載のレンズ保護用薄型の眼鏡レンズケース。
【請求項６】
前記上部ケース（１２０）が開放されるときに弾性力を作用するために、前記ヒンジ軸（１３５）に結合され、前記下部ヒンジ（１１５）及び上部ヒンジ（１２５）に備わるスプリング（１３７）がさらに含まれて構成されることを特徴とする請求項５に記載のレンズ保護用薄型の眼鏡レンズケース。
【請求項７】
前記眼鏡のつる（１１）の固定部（１１ｂ）を弾性力によって係止固定するために、前記下部ケース（１１０）の底面（１１０ｂ'）の左右一側に形成された弾性係止固定部（１５０）がさらに含まれて構成されることを特徴とする請求項１に記載のレンズ保護用薄型の眼鏡レンズケース。
【請求項８】
前記眼鏡のつる（１１）の固定部（１１ｂ）を弾性力によって係止固定するために、前記下部ケース（１１０）の底面（１１０ｂ'）の左右一側に形成された弾性係止固定部（１５０）がさらに含まれて構成されることを特徴とする請求項６に記載のレンズ保護用薄型の眼鏡レンズケース。
【請求項９】
前記下部クッション突起縁（１１４）及び上部クッション突起縁（１２４）は、クッションを有するゴム材質またはスポンジで具現されることを特徴とする請求項７に記載のレンズ保護用薄型の眼鏡レンズケース。
【請求項１０】
前記下部クッション突起縁（１１４）及び上部クッション突起縁（１２４）は、クッションを有するゴム材質またはスポンジで具現されることを特徴とする請求項８に記載のレンズ保護用薄型の眼鏡レンズケース。
【発明の詳細な説明】
【技術分野】
【０００１】
本発明は、眼鏡ケースに関するもので、特に、薄型の形状を具現することで、ポケットへの携帯を便利にすると同時に、眼鏡レンズのケース内部への接触を防止することで、レンズを完壁に保護するのに適したレンズ保護用薄型の眼鏡レンズケースに関するものである。
【背景技術】
【０００２】
図１は、従来技術による眼鏡ケースの使用状態図である。図１に示すように、従来技術による眼鏡ケース１は、眼鏡のつるを含む眼鏡１０全体を内部に保管する構造となっている。
【０００３】
しかしながら、上記のような従来技術による眼鏡ケース１には次のような問題点があった。
【０００４】
第一に、眼鏡１０を眼鏡ケース１に保管する場合、眼鏡のつるを含む眼鏡１０全体を眼鏡ケース１の内部に保管すべきであったので、眼鏡ケース１の体積が増加するしかなく、その結果、眼鏡ケースを携帯・保管することが非常に不便であった。
【０００５】
特に、このような体積の大きい眼鏡ケース１の場合、例えば、ワイシャツポケットなどには保管できなかった。そして、サングラスのように使用・不使用を繰り返す眼鏡の場合、携帯の不便さが一層深刻な問題となった。
【０００６】
第二に、従来技術による眼鏡ケース１は、眼鏡１０を眼鏡ケース１に保管するとき、眼鏡１０のレンズが眼鏡ケース１の底面に接していたので、レンズに傷が付くという問題点があった。
【０００７】
上記のようなレンズに傷が付く問題点を解決するために眼鏡ケース１の底面に布を置く場合にも、長い使用期間によって布が擦れるとともに、激しい移動があると、依然としてレンズに傷が付くようになる。
【０００８】
第三に、眼鏡１０と眼鏡ケース１との間に多くの空間があるが、この空間のために、眼鏡ケース１に激しい衝撃や外力が加えられると、眼鏡１０も激しい移動または揺れを受けるようになり、レンズの傷または眼鏡の破損などの問題点が発生した。
【発明の開示】
【発明が解決しようとする課題】
【０００９】
本発明は、上記のような従来技術の問題点を解決するためになされたもので、本発明によるレンズ保護用薄型の眼鏡レンズケースの目的は、眼鏡のつる孔の構成によって眼鏡のつるを外部に取り出し、眼鏡レンズのみをケースの内部に収納することで、薄型の形状を具現し、衣服のポケットへの携帯を便利にしたレンズ保護用薄型の眼鏡レンズケースを提供することにある。
【００１０】
本発明によるレンズ保護用薄型の眼鏡レンズケースの他の目的は、眼鏡ケース内部の縁部に沿ってクッションを有する突起縁を互いに噛み合う形態で形成し、レンズフレームを前記互いに噛み合った突起縁の間に挟み、レンズの眼鏡ケースへの接触を防止することで、レンズを完壁に保護するのに適した眼鏡ケースを提供することにある。
【００１１】
本発明によるレンズ保護用薄型の眼鏡レンズケースの更に他の目的は、互いに対応して噛み合う形態で構成されたクッション突起縁の間にレンズフレームを挟むことで、眼鏡ケースに保管される眼鏡を外部の衝撃による移動なしに完壁に保護するのに適した眼鏡ケースを提供することにある。
【００１２】
本発明によるレンズ保護用薄型の眼鏡レンズケースの更に他の目的は、眼鏡のつるを外部に取り出すための眼鏡のつる孔を形成し、前記眼鏡のつる孔の内部への異物質流入を遮断するためのパッキング及びシーリング部材を備えることで、眼鏡ケース内部への埃などの異物質流入を完璧に防止するのに適した眼鏡ケースを提供することにある。
【００１３】
本発明によるレンズ保護用薄型の眼鏡レンズケースの更に他の目的は、フックによって眼鏡ケースを簡単かつ迅速に閉鎖し、閉鎖された眼鏡ケースをスプリングの弾性力によって自動的に開放するのに適した眼鏡ケースを提供することにある。
【００１４】
本発明によるレンズ保護用薄型の眼鏡レンズケースの更に他の目的は、弾性係止固定部の構成によって、縁なしの眼鏡または非常に小さいレンズを備える眼鏡の場合にも、眼鏡を移動なしに安全に保護するのに適した眼鏡ケースを提供することにある。
【課題を解決するための手段】
【００１５】
上記のような目的を達成するためのレンズ保護用薄型の眼鏡レンズケースは、レンズＬが挟め込まれたレンズフレーム１２、回動部１１ａ、固定部１１ｂを含んだ眼鏡のつる１１及び鼻掛け１３で構成される眼鏡１０を保管するための眼鏡ケースにおいて、下部ケースの外周１１０ａの左右側に溝状に形成された一対の下部眼鏡のつる半孔１１１と、下部ケースの底面１１０ｂ'の縁部に沿って所定の厚さで前記底面１１０ｂ'に備わり、クッションを有している下部クッション突起縁１１４と、前記外周１１０ａの後側に一体に形成された下部ヒンジ１１５とを含んで構成される下部ケース１１０、前記下部眼鏡のつる半孔１１１と対応する位置の上部ケースの外周１２０ａに溝状に形成された一対の上部眼鏡のつる半孔１２１と、上部ケースの底面１２０ｂ'の縁部に沿って所定の厚さで前記底面１２０ｂ'に備わり、クッションを有している上部クッション突起縁１２４と、上部ケースの外周１２０ａの後側に一体に形成された上部ヒンジ１２５と、前記鼻掛け１３が定着される空間である鼻掛け定着部１２０ｂ''とを含んで構成される上部ケース１２０、及び前記上部ヒンジ１２５と下部ヒンジ１１５をヒンジ結合するヒンジ軸１３５を含んで構成されており、上部ケース１２０が前記下部ケース１１０によって閉鎖される場合、前記下部眼鏡のつる半孔１１１と上部眼鏡のつる半孔１２１が形成する眼鏡のつる孔１０１を通して前記眼鏡のつる１１が、眼鏡ケースの外部に置かれ、上部ケース１２０が前記下部ケース１１０によって閉鎖される場合、前記レンズＬの前記底面１１０ｂ'，１２０ｂ'への接触を防止するように前記レンズフレーム１２を前記底面１１０ｂ'，１２０ｂ'の間に挟んでホールディングするために、前記下部クッション突起縁１１４と上部クッション突起縁１２４が相互対応した形態で噛み合っていることを特徴とする。
【発明の効果】
【００１６】
本発明によるレンズ保護用薄型の眼鏡レンズケースには次のような効果がある。
【００１７】
第一に、眼鏡のつる孔１０１の構成によって眼鏡のつる１１を外部に取り出し、眼鏡レンズＬのみをケースの内部に収納することで、眼鏡ケース自体が非常に薄い薄型となり、衣服のポケットなどに便利に携帯できるという効果がある。
【００１８】
第二に、眼鏡ケース内部の縁部に沿ってクッションを有するクッション突起縁１１４、１２４を互いに噛み合う形態で構成し、レンズフレーム１２を前記互いに噛み合ったクッション突起縁１１４，１２４の間に挟むことで、レンズＬを眼鏡ケースに接触しない状態で保管できるという効果がある。
【００１９】
その結果、レンズに傷が付かず、完壁に保護できるという効果がある。
【００２０】
第三に、互いに対応して噛み合う形態で構成されたクッション突起縁１１４，１２４の間にレンズフレーム１２を挟むように構成することで、眼鏡ケースに保管される眼鏡を外部の衝撃による移動なしに完壁に保護できるという効果がある。
【００２１】
第四に、眼鏡のつるを外部に取り出すための眼鏡のつる孔１０１を形成し、前記眼鏡のつる孔１０１内部への異物質流入を遮断するためのパッキング１１２，１２２及びシーリング部材１１３，１２３を備えることで、眼鏡ケース内部への埃などの異物質流入を防止できるという効果がある。その結果、眼鏡レンズＬを汚染物質から遮断して清潔に保管できるという効果がある。
【００２２】
第五に、フック１２６によって眼鏡ケースを簡単かつ迅速に閉鎖し、閉鎖された眼鏡ケースをスプリング１３７の弾性力によって自動的に開放できるという効果がある。
【００２３】
第七に、前記弾性係止固定部１５０を前記下部ケース１１０の底面１１０ｂ'の左右一側に形成することで、眼鏡１０自体を移動なしに確実に保管できるという効果がある。
【発明を実施するための最良の形態】
【００２４】
以下、本発明によるレンズ保護用薄型の眼鏡レンズケースの好適な実施例を添付された図面に基づいて詳細に説明する。
【００２５】
本発明によるレンズ保護用薄型眼鏡レンズケースは、眼鏡ケースのうち、眼鏡全体でないレンズのみを保護するためのレンズ保護用眼鏡ケースに関するものである。
【００２６】
図２から図６に示すように、本発明の一実施例によるレンズ保護用薄型の眼鏡レンズケースは、下部ケース１１０、上部ケース１２０及びヒンジ軸１３５によって構成される。
【００２７】
前記下部ケース１１０は、外周１１０ａの左右側に溝状に形成された一対の下部眼鏡のつる半孔１１１と、底面１１０ｂ'の縁部に沿って所定の厚さで前記底面１１０ｂ'に備わり、クッションを有している下部クッション突起縁１１４と、前記外周１１０ａの後側に一体に形成された下部ヒンジ１１５とを含んで構成される。
【００２８】
前記上部ケース１２０は、前記下部眼鏡のつる半孔１１１と対応する位置の外周１２０ａに溝状に形成された一対の上部眼鏡のつる半孔１２１と、底面１２０ｂ'の縁部に沿って所定の厚さで前記底面１２０ｂ'に備わり、クッションを有している上部クッション突起縁１２４と、前記外周１２０ａの後側に一体に形成された上部ヒンジ１２５と、鼻掛け１３が定着される空間である鼻掛け定着部１２０ｂ'’とを含んで構成される。  
【００２９】
前記下部眼鏡のつる半孔１１１及び上部眼鏡のつる半孔１２１は、例えば、図６に示した‘匸'字状の凹溝または図７に示した半円型の形状に具現可能である。
【００３０】
前記ヒンジ軸１３５は、前記上部ヒンジ１２５と下部ヒンジ１１５をヒンジ結合する。
【００３１】
そして、上部ケース１２０が前記下部ケース１１０によって閉鎖される場合、前記下部眼鏡のつる半孔１１１及び上部眼鏡のつる半孔１２１が形成する眼鏡のつる孔１０１を通して前記眼鏡のつる１１が眼鏡ケースの外部に置かれる。
【００３２】
また、上部ケース１２０が前記下部ケース１１０によって閉鎖される場合、前記レンズＬの前記底面１１０ｂ'，１２０ｂ'への接触を防止するように前記レンズフレーム１２を間に挟んでホールディングするために、前記下部クッション突起縁１１４と上部クッション突起縁１２４が相互対応した形態で噛み合っている。
【００３３】
また、前記外周１１０ａの前側中央には、湾曲状を有する湾曲部１１０ａ'が形成されており、前記湾曲部１１０ａ'にフック締結するためのフック１２６は、前記外周１２０ａの前側に前記外周１２０ａと一体に形成されている。
【００３４】
そして、外側に力を容易に作用するために外側に傾斜して折り曲がっている折曲部１２６ａは、前記フック１２６の端部に形成されている。
【００３５】
前記下部眼鏡のつる半孔１１１及び上部眼鏡のつる半孔１２１にそれぞれ嵌め込まれて締結され、弾性を有している下部パッキング１１２及び上部パッキング１２２がさらに含まれて構成される。
【００３６】
前記下部パッキング１１２と上部パッキング１２２は、前記下部眼鏡のつる半孔１１１及び上部眼鏡のつる半孔１２１の場合と同様に、例えば、図６に示した‘匸'字状の凹溝または図７に示した半円型の形状に具現可能である。
【００３７】
好ましくは、外部の埃などの異物質流入を遮断するために、前記下部パッキング１１２及び上部パッキング１２２にはそれぞれ下部シーリング部材１１３及び上部シーリング部材１２３がさらに含まれて構成される。
【００３８】
前記下部シーリング部材１１３及び上部シーリング部材１２３は、それぞれスポンジで具現されることが好ましい。
【００３９】
前記上部ケース１２０が開放されるときに弾性力を作用するために、前記ヒンジ軸１３５に結合され、前記下部ヒンジ１１５及び上部ヒンジ１２５に備わるスプリング１３７がさらに含まれて構成される。
【００４０】
前記下部クッション突起縁１１４及び上部クッション突起縁１２４は、クッションを有するゴム材質で具現されることが好ましい。
【００４１】
本発明の他の実施例によると、前記下部クッション突起縁１１４及び上部クッション突起縁１２４は、スポンジで具現されることが好ましい。
【００４２】
図９または図１０に示すように、本発明の更に他の実施例によると、弾性係止固定部１５０がさらに含まれて構成される。
【００４３】
前記弾性係止固定部１５０は、前記下部ケース１１０の底面１１０ｂ'の左右一側に形成され、前記眼鏡のつる１１の固定部１１ｂを弾性力によって係止固定する。
【００４４】
すなわち、前記弾性係止固定部１５０の構成によって眼鏡のつる１１の固定部１１ｂを弾性力によって固定するので、例えば、縁なし眼鏡などのようにレンズフレーム１２がないか、レンズＬが小さいことから、前記下部クッション突起縁１１４及び上部クッション突起縁１２４を利用できない場合にも、眼鏡１０自体を移動なしに安全に眼鏡ケースに保管できるようになる。
【００４５】
そして、前記弾性係止固定部１５０は、弾性を有するゴム材質または軟質プラスチック材質などで具現可能であり、前記下部ケース１１０の底面１１０ｂ'に例えば接着剤によって備わる。
【００４６】
以下、上記のような構成を有する本発明によるレンズ保護用薄型眼鏡レンズケースの作用に対して説明する。
【００４７】
まず、眼鏡１０を下部ケース１１０に収納する場合、眼鏡１０のレンズフレーム１２部分が下部クッション突起縁１１４に置かれるようになり、上部ケース１２０を閉鎖する場合、上部クッション突起縁１２４と下部クッション突起縁１１４が互いに対応した形態で噛み合うことで、前記レンズフレーム１２を弾性力によって堅固に固定するようになる。
【００４８】
その結果、前記眼鏡のレンズＬが眼鏡ケース１００内部の何れの面とも接触しなくなり、傷発生の憂いがなくなる。
【００４９】
また、前記上部クッション突起縁１２４と下部クッション突起縁１１４がレンズフレーム１２を弾性力によって堅固に固定するので、眼鏡ケース１００に外部の衝撃が加えられる場合にも、眼鏡１０自体を移動なしに堅固に眼鏡ケース１００内部に定着できるようになる。
【００５０】
以下、眼鏡ケース１００の内部に埃などの異物質が流入しない場合に対して説明する。
【００５１】
図６または図７に示すように、眼鏡のつる１１が眼鏡のつる孔１０１を通して外部に取り出された状態で、眼鏡のつる孔１０１に嵌め込まれて締結されている一対のパッキング１１２，１２２によって眼鏡のつる１１をある程度に保護できると同時に、外部の埃などの異物質流入を遮断できるようになる。
【００５２】
さらに、前記パッキング１１２，１２２にスポンジで具現されるシーリング部材１１３，１２３が付着されるので、眼鏡のつる１１（そのうち、特に固定部１１ｂ）を一層保護できるとともに、外部の微細な埃などが眼鏡ケースの内部に流入することを一層完壁に遮断できるようになる。
【００５３】
以下、眼鏡ケースの開閉作用に対して説明する。
【００５４】
まず、眼鏡ケースを閉鎖しようとする場合、上部ケース１２０を下部ケース１１０によって閉鎖すると、前記フック１２６は、前記湾曲部１１０ａ'にフック締結によって簡単に締結される。
【００５５】
そして、眼鏡ケースを開放しようとする場合、図４に示すように、フック１２６の折曲部１２６ａに矢印方向に少しの外力のみを加えると、スプリング１３７の弾性力によって自動的に開放される。
【００５６】
以下、前記弾性係止固定部１５０の作用に対して説明する。
【００５７】
眼鏡のつる１１の固定部１１ｂを上方から下方に前記弾性係止固定部１５０に嵌め込むと、前記弾性係止固定部１５０は、弾性によって広がりながら前記眼鏡のつる１１の固定部１１ｂを収容すると同時に、弾性復元力によって前記眼鏡のつる１１の固定部１１ｂを堅固に固定する。
【００５８】
その結果、眼鏡１０は、ケースの内部で移動なしに確実に固定されて保管される。レンズＬに傷が付かないことも当然である。
【００５９】
特に、前記弾性係止固定部１５０は、例えば、縁なし眼鏡などのようにレンズフレーム１２がなく、レンズＬが小さいことから、前記下部クッション突起縁１１４及び上部クッション突起縁１２４を利用できない場合、一層有用に用いられる。
【００６０】
そして、前記眼鏡のつる１１の固定部１１ｂが弾性係止固定部１５０に弾性的に係止固定されることで、レンズＬの底面１１ｂ'への接触が発生しないので、レンズＬに傷が付くことが全く発生しなくなる。
【００６１】
以上説明した本発明の実施例は、本発明の技術的思想の一実施例に過ぎないもので、同技術分野の通常の技術者であれば、本発明の技術的思想内で他の変形された実施が可能であることを理解できるだろう。  
【図面の簡単な説明】
【００６２】
【図１】従来技術による眼鏡ケースの使用状態図である。
【図２】本発明の一実施例によるレンズ保護用薄型の眼鏡レンズケースの分解斜視図及び要部拡大図である。
【図３】図２に示したレンズ保護用薄型の眼鏡レンズケースの結合斜視図である。
【図４】図３に示したレンズ保護用薄型の眼鏡レンズケースの閉鎖状態を示した斜視図である。
【図５】図４のＡ−Ａ線断面図及び要部拡大図である。
【図６】図３に示したレンズ保護用薄型の眼鏡レンズケースの側面図である。
【図７】本発明の他の実施例によるレンズ保護用薄型の眼鏡レンズケースの側面図である。
【図８】本発明の更に他の実施例によるレンズ保護用薄型の眼鏡レンズケースの要部斜視図である。
【図９】本発明の更に他の実施例によるレンズ保護用薄型の眼鏡レンズケースの斜視図及び要部拡大図である。
【図１０】図９の断面図及び要部拡大図である。
【図１１】本発明によるレンズ保護用薄型の眼鏡レンズケースの使用状態図である。
【図１】
2009528123.tif 000003
【図２】
2009528123.tif 000004
【図３】
2009528123.tif 000005
【図４】
2009528123.tif 000006
【図５】
2009528123.tif 000007
【図６】
2009528123.tif 000008
【図７】
2009528123.tif 000009
【図８】
2009528123.tif 000010
【図９】
2009528123.tif 000011
【図１０】
2009528123.tif 000012
【図１１】
2009528123.tif 000013
【国際調査報告】
2009528123.tif 000014
2009528123.tif 000015